(57)【特許請求の範囲】
【請求項１】
前扉筐体と、中筐体と、後筐体との３筐体により構成されるパチンコ機の入賞装置であって、前記３筐体の側面に副筐体を設けて、前扉筐体および中筐体の一方の副筐体の側面に掛止爪を設け、他方の副筐体の側面には前記掛止爪を掛ける掛止穴を設けるとともに、中筐体および後筐体の一方の副筐体の側面に掛止爪を設け、他方の副筐体の側面には前記掛止爪を掛ける掛止穴を設けることにより、前扉筐体と中筐体と後筐体とを組付けて一体物としたことを特徴とするパチンコ機の入賞装置。
【請求項２】
後筐体に設けた副筐体の上下両面に切込み部を形成して、この切込み部に入賞装置を遊技基板に固着するための爪部材を挟持した請求項１記載のパチンコ機の入賞装置。
【請求項３】
爪部材が、遊技基板に設けられた取付穴の長さより短く平坦な基部と、基部の背面に切込み部に挟持可能に設けられた縦型のリブと、基部の左右両端からハの字形に前記取付穴より幅広に延設された弾性片部と、該弾性片部の先に遊技基板の一角に当接するように内側に折り曲げて延設された係止片部とにより構成されたものである請求項２記載のパチンコ機の入賞装置。
【請求項４】
後筐体の背面に凹状部を形成し、この凹状部に玉計数装置とソレノイドとの電装基板の裏面を支承する保持部と、該電装基板の固定位置を決める係合部と、該電装基板を抑えて固着する係止爪とを設けた請求項１〜３何れか記載のパチンコ機の入賞装置。
【請求項５】
電装基板に取付られた電線を収納するためのスペースを残して、電装基板を凹状部の一端に寄せて取り付けた請求項４記載のパチンコ機の入賞装置。
【請求項６】
特定入賞口への玉の入賞を規制する規制部材を作動するソレノイドと、前扉を開閉するソレノイドとを中筐体と後筐体とにより挟持するとともに、後筐体に前記ソレノイドの熱を放散する通気孔を設けた請求項１〜５何れか記載のパチンコ機の入賞装置。
【請求項７】
前扉筐体の前枠の両端に中空支持台を設け、この中空支持台に玉の通過空間を確保して飾り部材を挿入した請求項１〜６何れか記載のパチンコ機の入賞装置。
【請求項８】
前扉筐体を取り外し可能に中筐体に取付けるとともに、前扉筐体に、前飾りと前扉と玉を入賞口に導く底部材とを取外し可能に取り付けた請求項１〜７何れか記載のパチンコ機の入賞装置。
【発明の詳細な説明】
【０００１】
【発明の属する技術分野】
本発明は、ネジやピン等の結合部材を用いることなく、組み付けや解体を簡単に行うことのできるパチンコ機の入賞装置に関するものである。
【０００２】
【従来の技術】
パチンコ機の遊技盤の中央付近には大当り状態等を表示する役物が設けられ、その下方には前扉を開放させて玉を入賞させる入賞装置が取り付けられている。従来は、この入賞装置には扉を開閉するソレノイドや、特定入賞口への玉の入賞を規制する規制部材を作動するソレノイドがビスで取り付けられていたり、入賞装置の組付けや遊技基板への取付がビスやピン等の金属部材を用いて行われており、これらの組付けや取付作業、或いは解体や取外し作業は時間のかかる煩わしいものであった。
また、ビスやピン等の金属部材は、主として合成樹脂からなる入賞装置とは材質が異なるために分別して回収する必要のあるものであった。
しかしながら、近年の地球環境保護や資源の有効再利用の機運の高まりにつれて、パチンコ機の入賞装置においても解体や取外しが容易で、部品点数が少なく部材の分別回収を容易に行うことのできるものが求められている。
【０００３】
【発明が解決しようとする課題】
本発明は上記した従来の問題点を解決し、ネジやピン等の金属部材を用いることなく、組付けや解体を簡単に行うことのできるパチンコ機の入賞装置を提供するためになされたものである。
【０００４】
【課題を解決するための手段】
上記の課題を解決するためになされた請求項１に記載の発明は、前扉筐体と、中筐体と、後筐体との３筐体により構成されるパチンコ機の入賞装置であって、前記３筐体の側面に副筐体を設けて、前扉筐体および中筐体の一方の副筐体の側面に掛止爪を設け、他方の副筐体の側面には前記掛止爪を掛ける掛止穴を設けるとともに、中筐体および後筐体の一方の副筐体の側面に掛止爪を設け、他方の副筐体の側面には前記掛止爪を掛ける掛止穴を設けることにより、前扉筐体と中筐体と後筐体とを組付けて一体物としたことを特徴とするパチンコ機の入賞装置である。
【０００５】
請求項２に記載の発明は、後筐体に設けた副筐体の上下両面に切込み部を形成して、この切込み部に入賞装置を遊技基板に固着するための爪部材を挟着したパチンコ機の入賞装置である。
【０００６】
請求項３に記載の発明は、請求項２に記載の発明において、爪部材が、遊技基板に設けられた取付穴の長さより短く平坦な基部と、基部の背面に切込み部に挟着可能に設けられた縦型のリブと、基部の前面に設けられた組付保持部と、基部の左右両端からハの字形に前記取付穴より幅広に延設された弾性片部と、該弾性片部の先に遊技基板の一角に当接するように内側に折り曲げて延設された係止片部とにより構成されたパチンコ機の入賞装置である。
【０００７】
請求項４に記載の発明は、請求項１〜３の何れかに記載の発明において、後筐体の背面に凹状部を形成し、この凹状部に玉係数装置とソレノイドとの電装基板の裏面を支承する保持部と、該電装基板の固定位置を決める係合部と、該電装基板を抑えて固着する係止爪とを設けたパチンコ機の入賞装置である。
【０００８】
請求項５に記載の発明は、請求項４に記載の発明において、電装基板に取付られた電線を収納するためのスペースを残して、電装基板を凹状部の一端に寄せて取り付けたパチンコ機の入賞装置である。
【０００９】
請求項６に記載の発明は、請求項１〜５の何れかに記載の発明において、特定入賞口への玉の入賞を規制する規制部材を作動するソレノイドと、前扉を開閉するソレノイドとを中筐体と後筐体とにより挟持するとともに、後筐体に前記ソレノイドの熱を放散する通気孔を設けたパチンコ機の入賞装置である。
【００１０】
請求項７に記載の発明は、請求項１〜６の何れかに記載の発明において、前扉筐体の前枠の両端に中空支持台を設け、この中空支持台に玉の通過空間を確保して飾り部材を挿入したパチンコ機の入賞装置である。
【００１１】
請求項８に記載の発明は、請求項１〜７の何れかに記載の発明において、前扉筐体を取り外し可能に中筐体に取り付けるとともに、前飾りと前扉と玉を入賞口に導く底部材とを前扉筐体に取り外し可能に取り付けたパチンコ機の入賞装置である。
【００１２】
本発明のパチンコ機の入賞装置は、前扉筐体と中筐体と後筐体の副筐体部の両側面に掛止爪や掛止穴を設けてこれらを嵌合させることにより、ビスやピンを用いることなく、各筐体同士を簡単に組み付けることができるとともに、その解体も簡単に行うことができる。
また、後筐体に設けた副筐体の上下両面に切込み部を形成して、この切込み部に爪部材を挟持したことにより、入賞装置全体の高さを抑え遊技基板への着脱を簡単に行うことができる。
【００１３】
【発明の実施の形態】
以下に図面を参照しつつ本発明の好ましい実施形態を示す。
図１は本発明の入賞装置を分解した斜視図であって、図２は組付けた状態の入賞装置を示す水平断面図である。図において、１は前扉筐体、２は中筐体、３は後筐体であり、各筐体にはそれぞれ高さをその筐体より低くした副筐体４、５、６を左右の両側面に設けてある。
中筐体２の副筐体５の側面には、可撓性を有する掛止爪７、掛止爪８が設けられており、掛止爪７は前扉筐体１の副筐体４の側面に設けられた掛止穴９に、掛止爪８は後筐体３の副筐体６の側面に設けられた可撓性を有する掛止穴１０に嵌合することによって一体物に組付けることができる。
【００１４】
図１に示すように、後筐体３の副筐体６の上下面には切込み部１１が設けられて、爪部材１２の背面に設けられた縦型のリブ１３を挟着することができる。この爪部材１２は、図３に示すように、その基部１４の背面に前記したリブ１３をが設けられ、その前面にはリブ１３を切込み部１１に挿入する時に保持するための断面Ｉ形の組付保持部１５が設けられている。基部１４の左右両端にはハの字形に延設された弾性片部１６が延設されているが、この弾性片部１６の左右の間隔は基部１４の付け根側において遊技基板の取付穴の長さより短いものとして、遊技基板の取付穴に挿入可能なものに形成してある。一方、ハの字形に延設された弾性片部１６の先端の左右の間隔は遊技基板の取付穴より幅広に形成されており、弾性片部１６の先端には内側に折れ曲がってさらに延設された掛止片部１７が設けられている。そして、弾性片部１６と掛止片部１７の内側にはリブ１８を設けて補強してある。
【００１５】
図４にはこのような爪部材１２を有する入賞装置を遊技基板１９に取り付けた状態を示すが、入賞装置を遊技基板１９に取り付ける際には、先ず遊技基板１９の前面から入賞装置の後部を取付穴２０に挿入して押し込む。入賞装置が押し込まれるに従ってハの字形に広がった弾性片部１６は取付穴２０の両側面により幅を狭められて取付穴２０を通過することができる。そして、弾性片部１６が完全に取付穴２０を通過すると弾性片部１６は元の形に戻ろうとするが、入賞装置がさらに押し込まれて前扉枠２１が遊技基板１９に当接したところで弾性片部１６の先端に内側に折れ曲がって延設された掛止片部１７が取付穴２０の一角に当接して遊技基板１９に入賞装置をかっちりと取付けることができる。
【００１６】
図５には、入賞した玉を計数する玉計数装置、特定入賞口への玉の入賞を規制する規制部材を作動するソレノイド、および前扉を開閉するソレノイドの電装基板を、後筐体３の背面に取付け途中の状態を示す。後筐体３の背面には凹状部２２が形成されており、その凹状部２２には電装基板２３を支承する保持部２４と、電装基板２３の固定位置を決める係合部２５と、電装基板を抑えて固着する係止爪２６、２７とが設けられており、電装基板２３を後筐体３に取り付けるには、先ず電装基板２３の上端を掛止爪２６の下に挿入するとともに、下端を可撓性のある掛止爪２７の上側から押さえつけることによって、図６に示すように、電装基板２３を後筐体３に強固に取付けることができる。
【００１７】
電装基板２３の取付は、図７に示すように、凹状部２２の一端に寄せてスペース２８を残して取付けるのが好ましい。このスペース２８を残すことによって電装基板２３に取付けられた電線を収納することができる。
【００１８】
図１に示した特定入賞口への玉の入賞を規制する規制部材２９および扉開閉レバー３０は、それらに設けた支軸３１を中筐体２の一部に設けた凹状切込み３２に嵌入することにより固着することができる。図８は規制部材２９を中筐体２に組付ける前の状態、図９は規制部材２９を中筐体２に組付けた後の状態を示す。また、図１０は扉開閉レバー３０を中筐体２に組付ける前の状態、図１１は扉開閉レバー３０を中筐体２に組付けた後の状態を示す。
【００１９】
規制部材２９を駆動するソレノイド３３、扉開閉レバー３０を駆動するソレノイド３４は、図１２に示したように、中筐体２と後筐体３とにより挟み込んで固着することができる。即ち、ソレノイド３３は中筐体２に設けた凸起３５と、後筐体３に設けた凸起３６とにより挟持し、ソレノイド３４は中筐体２に設けた支持部３７と、後筐体３に設けた支持部３８とにより挟持することができる。ソレノイド３３は、特定入賞口５１に最初の玉が入賞した時にソレノイド３３の磁芯を突出させて規制部材２９の一端を押下することにより入賞空間の底部から規制部材２９の他端を突出させて、以後の玉を一般入賞口５２に導入する。なお、図７に示したように、ソレノイド３３、３４の熱を放散する通気孔３９を後筐体３に設けるのが好ましい。また、特定入賞口５１と一般入賞口５２との二つの入賞口に設けられた玉計数装置４０、４１は、中筐体２と後筐体３の裏側に設けたＬ字形の受けにより中筐体２の背面から差し込み式で装着することができる。
【００２０】
図１３は前扉筐体１の前枠２１の両端に、玉の通過空間を確保して飾り部材４２を装着するための中空支持台４３を設け、この中空支持台４３に飾り部材４２を装着する状態を示す図である。中空支持台４３には可撓性を有する掛止凸起４４が設けられ、一方の飾り部材４２は中空支持台４３に挿入される凸片４５を有し、その凸片４５には前記凸起４４を嵌め込む掛止穴４６が設けられている。図において、中空支持台４３の内部形状は上側が円形で下側が平坦に形成してあり、一方の凸片４５の形状も上側が円形で下側が平坦に形成してある。これによって飾り部材４２を上下逆に付けたりする過ちを防止することができる。
【００２１】
前記したように、前扉筐体１は可撓性を有する係止爪７によって中筐体２と組付けられており、また、図１に示したように前扉枠２１には飾り部材４２が取り付けられ、前扉筐体１には、前扉４７がその両端の支軸４８により取付けられ、さらに、入賞空間を形成し玉を特定入賞口または一般入賞口に導入する底部材４９が掛止凸起５０により取付けられる。前扉筐体１への前扉４７および底部材４９の取付け状態は図８に示したとおりである。
尚、前扉４７の開閉は、ソレノイド３４の磁芯が扉開閉レバー３０の一端と係合して他端を上下動させることにより前扉４７の一端の支軸４８に設けた作用片を介して行うことができる。
前扉筐体１、前扉４７、飾り部材４２、底部材４９は遊技者からそのデザインや構造が見えるものであって、遊興効果を維持するためには時々交換する必要があるが、入賞装置を上記のような構造にしたことにより、入賞装置を遊技基板１９から簡単に取り外すことができるとともに、中筐体２および後筐体３はそのまま用いて、前扉筐体１、前扉４７、飾り部材４２、底部材４９の全部または一部を適宜簡単に交換することができる。
【００２２】
本発明のパチンコ機の入賞装置は、前扉筐体と中筐体と副筐体の両側面に掛止爪や係止穴を設けてこれらを嵌合させることにより、ビスやピンを用いることなく、各筐体同士を簡単に組み付けることができるとともに、その解体も簡単に行うことができる。
また、後筐体に設けた副筐体の上下両面に切込み部を形成して、この切込み部に爪部材を挟着したことにより、入賞装置の遊技基板への着脱を簡単に行うことができる。
【００２３】
【発明の効果】
以上に説明したように、本発明のパチンコ機の入賞装置は、掛止爪や掛止穴を前扉筐体と中筐体と後筐体の両側面に設けたことにより入賞装置の厚みを薄くすることができて、その上方に取付けられる役物を大きくすることができる。
前扉筐体を中筐体から取り外しを容易に行うことができ、中筐体および後筐体はそのまま用いて、前扉筐体、前扉、飾り部材、底部材の全部または一部を適宜簡単に交換することができ、遊興効果を簡単に刷新することができる。
また、各筐体や各種の部材の取付けを掛止爪、掛止穴、爪部材により行う構造にしたことにより、入賞装置の組付け、入賞装置の遊技基板への取付けをビス、ピン等の金属部材を全く用いることなく簡単に行うことができるとともに、パチンコ機の廃却に当たって、解体および分別回収を簡単に行うことができる。
【図面の簡単な説明】
【図１】  本発明の入賞装置を分解した斜視図である。
【図２】  組付けた状態の入賞装置を示す水平断面図である。
【図３】  爪部材の構造を示す正面図と側面図と平面図である。
【図４】  遊技基板に取付けられた入賞装置を示す垂直断面図である。
【図５】  電装基板を後筐体に取付け途中の状態を示す垂直断面図である。
【図６】  電装基板を後筐体に取付けた状態を示す垂直断面図である。
【図７】  電装基板を後筐体に取付けた入賞装置の裏側正面図である。
【図８】  規制部材を中筐体に組付ける前の状態を示す図である。
【図９】  規制部材を中筐体に組付けた後の状態を示す図である。
【図１０】  扉開閉レバーを中筐体に組付ける前の状態を示す図である。
【図１１】  扉開閉レバーを中筐体に組付けた後の状態を示す図である。
【図１２】  ソレノイドを中筐体と後筐体により挟持する状態を示す水平断面図である。
【図１３】  前扉枠に飾り部材を装着する状態を示す垂直断面図でる。
【符号の説明】
１  前扉筐体
２  中筐体
３  後筐体
４、５、６  副筐体
７、８  掛止爪
９、１０  掛止穴
１１  切込み部
１２  爪部材
１３、１８  リブ
１４  基部
１５  組付保持部
１６  弾性片部
１７  掛止片部
１９  遊技基板
２０  取付穴
２１  前扉枠
２２  凹状部
２３  電装基板
２４  保持部
２５  係合部
２６、２７  係止爪
２８  スペース
２９  規制部材
３０  扉開閉レバー
３１、４８  支軸
３２  凹状切込み
３３、３４  ソレノイド
３５、３６  凸起
３７、３８  支持部
３９  通気孔
４０、４１  玉係数装置
４２  飾り部材
４３  中空支持台
４４、５０  掛止凸起
４５  凸片
４６  掛止穴
４７  前扉
４９  底部材
５１  特定入賞口
５２  一般入賞口
【図１】
0004438180.tif 000002
【図２】
0004438180.tif 000003
【図３】
0004438180.tif 000004
【図４】
0004438180.tif 000005
【図５】
0004438180.tif 000006
【図６】
0004438180.tif 000007
【図７】
0004438180.tif 000008
【図８】
0004438180.tif 000009
【図９】
0004438180.tif 000010
【図１０】
0004438180.tif 000011
【図１１】
0004438180.tif 000012
【図１２】
0004438180.tif 000013
【図１３】
0004438180.tif 000014